(57)【要約】【課題】ユーザが一度に閲覧し得る情報量が過剰に制限されることを回避しながら、ユーザに対して情報を迅速に提供し得るシステムを提供する。【解決手段】本発明の情報管理システムによれば、端末判定処理ユニット１１１は「第１端末識別子」が識別子記憶ユニット１０２により登録リモコン端末識別子として記憶されているか否かを判定する。また、ユーザ判定処理ユニット１１２は第１端末２１０に入力された「ユーザ識別子」が登録ユーザ識別子として識別子記憶ユニット１０２により記憶されているか否かを判定する。さらに選定処理ユニット１３０がこの登録ユーザ識別子とバインドされている登録情報端末識別子により識別される第２端末２２０を選定する。そして、接続処理ユニット１４０が第１端末２１０と、選定処理ユニット１３０により選定された第２端末２２０とを接続状態とする。【選択図】  図１
2006039685.tif 000002
【特許請求の範囲】
【請求項１】
ユーザによるリモコン端末の操作に応じて、該リモコン端末と接続状態にある情報端末を通じて該ユーザに閲覧される情報をネットワーク通信に基づき管理するシステムであって、
リモコン端末として機能し得る端末を識別するための登録リモコン端末識別子を記憶するとともに、情報端末として機能し得る端末を識別するための登録情報端末識別子と、リモコン端末の操作及び情報端末を通じた情報閲覧が許可されたユーザを識別するための登録ユーザ識別子とをバインドして記憶する識別子記憶手段と、
第１端末との通信に基づき、第１端末を識別するための第１端末識別子を認識した上で、第１端末識別子が識別子記憶手段により登録リモコン端末識別子として記憶されているか否かを判定する端末判定処理手段と、
端末判定処理手段により第１端末識別子が登録リモコン端末識別子として識別子記憶手段により記憶されている判定された場合、第１端末との通信に基づき、ユーザによって第１端末に入力されたユーザ識別子を認識した上で、該ユーザ識別子が登録ユーザ識別子として識別子記憶手段により記憶されているか否かを判定するユーザ判定処理手段と、
ユーザ判定処理手段によりユーザ識別子が登録ユーザ識別子として識別子記憶手段により記憶されていると判定された場合、該登録ユーザ識別子とバインドされて識別子記憶手段により記憶されている登録情報端末識別子により識別される第２端末を選定する選定処理手段と、
第１端末と、選定処理手段により選定された第２端末とを接続状態とする接続処理手段とを備えていることを特徴とする情報管理システム。
【請求項２】
接続処理手段が、第１及び第２端末のうち一方又は両方に操作メニューを表示させ、該操作メニューに従ったユーザによる第１端末の操作を可能とすることによって第１及び第２端末を接続状態とすることを特徴とする請求項１記載の情報管理システム。
【請求項３】
第２端末との通信に基づき、接続処理手段により第２端末と接続状態とされた第１端末のユーザによる操作内容を認識した上で、該操作内容に応じた情報を第２端末に表示させる情報提供処理手段を備えていることを特徴とする請求項１又は２記載の情報管理システム。
【請求項４】
接続処理手段が、第１端末の操作を通じて、登録ユーザ識別子とバインドされて識別子記憶手段により記憶されている登録情報端末識別子の設定操作を可能とする操作メニューを、接続状態にある第１及び第２端末のうち一方又は両方に表示させることを特徴とする請求項１、２又は３記載の情報管理システム。
【請求項５】
選定処理手段が、第１端末との通信に基づき第１端末の位置を認識するとともに、第２端末との通信に基づき第２端末の位置を認識するか、又は第２端末識別子にバインドされて識別子記憶手段により記憶されている第２端末の位置を認識した上で、第１端末の位置を規準とする所定範囲内に位置する第２端末を選定することを特徴とする請求項１、２、３又は４記載の情報管理システム。
【請求項６】
選定処理手段が、未接続状態の第２端末を選定することを特徴とする請求項１、２、３、４又は５記載の情報管理システム。
【発明の詳細な説明】
【技術分野】
【０００１】
本発明は、ユーザによるリモコン端末の操作に応じて、該リモコン端末と接続状態にある情報端末を通じて該ユーザに閲覧される情報をネットワーク通信に基づき管理するシステムに関する。
【背景技術】
【０００２】
従来、顧客の資産運用に対する考え方に合致し、よりよい資産運用等を行なうためのポートフォリオを提案する等の観点から、インターネットを通じて証券情報等をユーザに対して提供するシステムが提案されている（例えば、特許文献１，２参照）。ユーザは、自宅や職場に設置されているパソコン等の端末を通じて、サイトにアクセスすることでインターネットを通じて迅速に情報を入手することができる。
【特許文献１】特開２００３−１０８７７５号公報
【特許文献２】特開２００４−１１８３３３号公報
【発明の開示】
【発明が解決しようとする課題】
【０００３】
しかし、外出中のユーザが情報を閲覧するとき、パソコン等の端末が置かれている自宅や職場まで行く必要があるとか、自宅であってもリビングにいるユーザが情報を閲覧するとき、端末が置かれている書斎まで行く必要があるとするとユーザにとって不便である。その一方、ネットワーク通信機能を有する携帯電話等の携帯端末を通じてユーザが情報を閲覧する場合、情報表示画面の大きさ、ひいては一度に閲覧し得る情報量が制限されてしまう。
【０００４】
そこで、本発明は、ユーザが一度に閲覧し得る情報量が過剰に制限されることを回避しながら、ユーザに対して情報を迅速に提供し得るシステムを提供することを解決課題とする。
【課題を解決するための手段】
【０００５】
前記課題を解決するための本発明の情報管理システムは、ユーザによるリモコン端末の操作に応じて、該リモコン端末と接続状態にある情報端末を通じて該ユーザに閲覧される情報をネットワーク通信に基づき管理するシステムであって、リモコン端末として機能し得る端末を識別するための登録リモコン端末識別子を記憶するとともに、情報端末として機能し得る端末を識別するための登録情報端末識別子と、リモコン端末の操作及び情報端末を通じた情報閲覧が許可されたユーザを識別するための登録ユーザ識別子とをバインドして記憶する識別子記憶手段と、第１端末との通信に基づき、第１端末を識別するための第１端末識別子を認識した上で、第１端末識別子が識別子記憶手段により登録リモコン端末識別子として記憶されているか否かを判定する端末判定処理手段と、端末判定処理手段により第１端末識別子が登録リモコン端末識別子として識別子記憶手段により記憶されていると判定された場合、第１端末との通信に基づき、ユーザによって第１端末に入力されたユーザ識別子を認識した上で、該ユーザ識別子が登録ユーザ識別子として識別子記憶手段により記憶されているか否かを判定するユーザ判定処理手段と、ユーザ判定処理手段によりユーザ識別子が登録ユーザ識別子として識別子記憶手段により記憶されていると判定された場合、該登録ユーザ識別子とバインドされて識別子記憶手段により記憶されている登録情報端末識別子により識別される第２端末を選定する選定処理手段と、第１端末と、選定処理手段により選定された第２端末とを接続状態とする接続処理手段とを備えていることを特徴とする。
【０００６】
本発明の情報管理システムによれば、端末判定処理手段が、第１端末との通信に基づき、第１端末を識別するための第１端末識別子を認識した上で、第１端末識別子が識別子記憶手段により登録リモコン端末識別子として記憶されているか否かを判定する。
【０００７】
また、端末判定処理手段により第１端末識別子が登録リモコン端末識別子として識別子記憶手段により記憶されていると判定された場合、ユーザ判定処理手段が、第１端末との通信に基づき、ユーザによって第１端末に入力されたユーザ識別子を認識する。この上で、ユーザ判定処理手段が、当該ユーザ識別子が登録ユーザ識別子として識別子記憶手段により記憶されているか否かを判定する。
【０００８】
さらにユーザ判定処理手段によりユーザ識別子が登録ユーザ識別子として識別子記憶手段により記憶されていると判定された場合、選定処理手段が、この登録ユーザ識別子とバインドされて識別子記憶手段により記憶されている登録情報端末識別子により識別される第２端末を選定する。ここで選定される第２端末は１つでも複数であってもよい。
【０００９】
そして、接続処理手段が、第１端末と、選定処理手段により選定された第２端末とを接続状態とする。
【００１０】
これにより、ユーザによる第１端末（リモコン端末）の操作に応じて、この第１端末と接続状態にある第２端末（情報端末）を通じて当該ユーザに操作に応じた情報が閲覧され得る。
【００１１】
ユーザは「登録リモコン端末識別子」を有する第１端末を用いることで、その登録ユーザ識別子とバインドされている「登録情報端末識別子」を有する第２端末を通じて情報を閲覧することができる。第１端末への登録ユーザ識別子の入力が情報閲覧のために必要とされているので、登録ユーザ識別子を有していないユーザによる不正な情報閲覧が防止され得る。
【００１２】
また、登録ユーザ識別子と登録情報端末識別子とはバインドされているので、登録ユーザ識別子を有するユーザに対して、このユーザのライフスタイル等に応じて都合のよい便利な場所にある第２端末を通じて情報が提供され得る。この第２端末は携帯端末のように一度に閲覧される情報量が制限されるものには限られない。このため、ユーザは、第１端末が手元にあり、且つ、第２端末を閲覧可能な場所にいれば、第１端末の操作によって第２端末を通じて希望の情報を迅速に閲覧することができる。
【００１３】
従って、本発明の情報管理システムによれば、ユーザが一度に閲覧し得る情報量が過剰に制限されることを回避しながら、ユーザに対して迅速に情報を提供することができる。
【００１４】
また、本発明の情報管理システムは、接続処理手段が、第１及び第２端末のうち一方又は両方に操作メニューを表示させ、該操作メニューに従ったユーザによる第１端末の操作を可能とすることによって第１及び第２端末を接続状態とすることを特徴とする。
【００１５】
本発明の情報管理システムによれば、ユーザは、接続処理手段により接続状態とされた第１及び第２端末のうち一方又は両方に表示された操作メニューに従うことで、第２端末を通じて情報を閲覧するために第１端末を容易に操作することができる。
【００１６】
さらに本発明の情報管理システムは、第２端末との通信に基づき、接続処理手段により第２端末と接続状態とされた第１端末のユーザによる操作内容を認識した上で、該操作内容に応じた情報を第２端末に表示させる情報提供処理手段を備えていることを特徴とする。
【００１７】
本発明の情報管理システムによれば、第１端末のユーザによる操作内容に応じた情報を、第２端末を通じてユーザに閲覧させ得る。
【００１８】
また、本発明の情報管理システムは、接続処理手段が、第１端末の操作を通じて、登録ユーザ識別子とバインドされて識別子記憶手段により記憶されている登録情報端末識別子の設定操作を可能とする操作メニューを、接続状態にある第１及び第２端末のうち一方又は両方に表示させることを特徴とする。
【００１９】
本発明の情報管理システムによれば、ユーザはその登録ユーザ識別子にバインドされている登録情報端末識別子、ひいては第２端末を第１端末の操作により設定することができる。これにより、ライフスタイルや地域的属性等の諸事情に応じて、ユーザにとって都合のよい第２端末を通じて、ユーザに対して第１端末の操作内容に応じた情報を迅速に閲覧させることができる。
【００２０】
さらに本発明の情報管理システムは、選定処理手段が、第１端末との通信に基づき第１端末の位置を認識するとともに、第２端末との通信に基づき第２端末の位置を認識するか、又は第２端末識別子にバインドされて識別子記憶手段により記憶されている第２端末の位置を認識した上で、第１端末の位置を規準とする所定範囲内に位置する第２端末を選定することを特徴とする。
【００２１】
本発明の情報管理システムによれば、第１端末の位置、ひいてはこれを操作するユーザの位置を基準とした所定範囲内に位置する第２端末のみを通じて、ユーザに対して迅速に情報を提供することができる。これにより、登録ユーザ識別子を有するユーザが容易に閲覧し得る適切な範囲内に位置する第２端末を通じて、当該ユーザにその所望の情報を閲覧させ得る。また、登録ユーザ識別子を有するユーザに対して提供されるべき情報が、当該ユーザが容易には閲覧し得ない場所にある第２端末を通じて第三者に提供される事態が回避される。
【００２２】
また、本発明の情報管理システムは、選定処理手段が、未接続状態の第２端末を選定することを特徴とする。
【００２３】
本発明の情報管理システムによれば、一の第１端末と既に接続状態にある第２端末が、他の第１端末と接続状態にされてしまう等、１つの第２端末に複数の第１端末が接続状態とされる事態が防止され得る。
【発明を実施するための最良の形態】
【００２４】
本発明の情報管理システムの実施形態について図面を用いて説明する。
【００２５】
図１は本発明の一実施形態としての情報管理システムの構成説明図であり、図２〜図３は本発明の一実施形態としての情報管理システムの機能説明図である。
【００２６】
まず、本発明の情報管理システムの構成について図１を用いて説明する。
【００２７】
図１に示されている情報管理システムは、第１端末２１０及び第２端末２２０とネットワーク通信可能な情報管理サーバ（以下「サーバ」という。）１００により構成されている。サーバ１００は複数のサーバによって構成されていてもよい。
【００２８】
また、情報管理システムは、識別子記憶ユニット１０２と、端末判定処理ユニット１１１と、ユーザ判定処理ユニット１１２と、選定処理ユニット１２０と、接続処理ユニット１３０と、情報提供処理ユニット１４０とを備えている。各ユニットは、ＣＰＵ、ＲＯＭ、ＲＡＭ等を有するマイクロコンピュータ等のハードウェアと、マイクロコンピュータに格納され、一定の情報演算処理を実行するためのソフトウェアとにより構成されている。
【００２９】
識別子記憶ユニット１０２はリモコン端末として機能し得る端末を識別するための「登録リモコン端末識別子」を記憶する。また、識別子記憶ユニット１０２は情報端末として機能し得る端末を識別するための「登録情報端末識別子」と、リモコン端末の操作及び情報端末を通じた情報閲覧が許可されたユーザを識別するための「登録ユーザ識別子」とをバインドして記憶する。
【００３０】
端末判定処理ユニット１１１は第１端末２１０との通信に基づき、第１端末２１０を識別するための「第１端末識別子」を認識する。その上で、端末判定処理ユニット１１１はこの第１端末識別子が識別子記憶ユニット１０２により登録リモコン端末識別子として記憶されているか否かを判定する。
【００３１】
ユーザ判定処理ユニット１１２は端末判定処理ユニット１１１により第１端末識別子が登録リモコン端末識別子として識別子記憶ユニット１０２により記憶されていると判定された場合、第１端末２１０との通信に基づき、ユーザによって第１端末２１０に入力された「ユーザ識別子」を認識する。この上で、ユーザ判定処理ユニット１１２はこのユーザ識別子が登録ユーザ識別子として識別子記憶ユニット１０２により記憶されているか否かを判定する。
【００３２】
選定処理ユニット１２０はユーザ判定処理ユニット１１２によりユーザ識別子が登録ユーザ識別子として識別子記憶ユニット１０２により記憶されていると判定された場合、この登録ユーザ識別子とバインドされて識別子記憶ユニット１０２により記憶されている登録情報端末識別子により識別される等の条件が満たされている第２端末２２０を選定する。
【００３３】
接続処理ユニット１３０は第１端末２１０及び選定処理ユニット１２０により選定された第２端末２２０の両方に「操作メニュー」を表示させ、この操作メニューに従ったユーザによる第１端末２１０の操作を可能とすることで、第１端末２１０及び第２端末２２０を接続状態とする。
【００３４】
情報提供処理ユニット１４０は第２端末２２０との通信に基づき、接続処理ユニット１３０によりこの第２端末２２０と接続状態とされた第１端末２１０のユーザによる操作内容を認識した上で、この操作内容に応じた情報を当該第２端末２２０に表示させる。
【００３５】
第１端末（リモコン端末）２１０としてはネットワーク通信機能や操作機能、情報画面表示機能等を有する掌サイズのＰＤＡや携帯電話のほか、モバイルパソコン等、ユーザにより携帯され得る種々の端末が採用される。
【００３６】
第２端末（情報端末）２２０としてはテレビ番組等を観るためのプラズマ式ディスプレイや液晶ディスプレイのほか、パソコン等、ユーザによって携帯されるというよりは主に一定の場所に設置される端末が採用される。
【００３７】
続いて、前記構成の情報管理システムの機能について図２〜図３を用いて説明する。
【００３８】
まず、端末判定処理ユニット１１１が、第１端末２１０との通信に基づき「端末判定処理」を実行する（図２／Ｓ１１１）。具体的には、第１端末２１０の電源がＯＦＦからＯＮに切り替えられたとき（図２／Ｓ２１１）、この第１端末２１０を識別するための「第１端末識別子」が、第１端末２１０からネットワークを介してサーバ１００に送信される（図２／矢印Ａ１）。また、端末判定処理ユニット１１１はこの第１端末識別子を認識した上で、当該第１端末識別子が識別子記憶ユニット１０２により「登録リモコン端末識別子」として記憶されているか否かを判定する。
【００３９】
端末判定処理ユニット１１１により第１端末識別子が登録リモコン端末識別子として識別子記憶ユニット１０２により記憶されていないと判定された場合（図２／Ｓ１１１・・ＮＯ）、「第１端末拒否信号」がサーバ１００からネットワークを介して第１端末２１０に送信され（図２／矢印Ａ２）、第１端末２１０がリモコン端末として登録されていない旨のメッセージが第１端末２１０に表示される（図２／Ｓ２１２）。
【００４０】
一方、端末判定処理ユニット１１１により第１端末識別子が登録リモコン端末識別子として識別子記憶ユニット１０２により記憶されていると判定された場合（図２／Ｓ１１１・・ＹＥＳ）、ユーザ判定処理ユニット１１２が第１端末２１０との通信に基づき「ユーザ判定処理」を実行する（図２／Ｓ１１２）。具体的には、「第１端末認容信号」がサーバ１００からネットワークを介して第１端末に送信され（図２／矢印Ａ３）、第１端末２１０がリモコン端末として登録されている旨のメッセージが第１端末２１０に表示される（図２／Ｓ２１３）。これにより、ユーザによる第１端末２１０へのユーザ識別子の入力が可能となる。続いて、ユーザによって第１端末２１０にユーザ識別子が入力されたとき（図２／Ｓ２１４）、この「ユーザ識別子」が第１端末２１０からネットワークを介してサーバ１００に送信される（図２／矢印Ａ４）。このとき、第１端末２１０がＧＰＳ等によって測定した「位置情報」も第１端末２１０からネットワークを介してサーバ１００に送信される（図２／矢印Ａ４）。そして、ユーザ判定処理ユニット１１２がこのユーザ識別子が「登録ユーザ識別子」として識別子記憶ユニット１０２により記憶されているか否かを判定する。
【００４１】
ユーザ判定処理ユニット１１２によりユーザ識別子が登録ユーザ識別子として識別子記憶ユニット１０２により記憶されていないと判定された場合（図２／Ｓ１１２・・ＮＯ）、「ユーザ拒否信号」がサーバ１００からネットワークを介して第１端末２１０に送信され（図２／矢印Ａ５）、ユーザが本システムのユーザとして登録されていない旨のメッセージが第１端末２１０に表示される（図２／Ｓ２１５）。
【００４２】
一方、ユーザ判定処理ユニット１１２によりユーザ識別子が登録ユーザ識別子として識別子記憶ユニット１０２により記憶されていると判定された場合（図２／Ｓ１１２・・ＹＥＳ）、選定処理ユニット１２０が「選定処理」を実行する（図２／Ｓ１３０）。
【００４３】
具体的には、選定処理ユニット１２０が「登録ユーザ識別子」とバインドされて識別子記憶ユニット１０２により記憶されている「登録情報端末識別子」により識別される第２端末２２０を選定する「１次選定処理」を実行する（図２／Ｓ１２１）。
【００４４】
また、選定処理ユニット１２０が第１端末２１０の位置及び第２端末２２０の位置を認識した上で、１次選定された第２端末２２０のうち、第１端末２１０の位置を基準として半径２ｍ、５ｍ、１０ｍ等の所定距離以内にある所定範囲内に位置する第２端末２２０を選定する「２次選定処理」を実行する（図２／Ｓ１２２）。このとき、選定処理ユニット１２０は第１端末２１０からサーバ１００に送信された位置情報（図２／矢印Ａ４）に基づき、この第１端末２１０の位置を認識する。また、選定処理ユニット１２０は１次選定された第２端末２２０の位置をその「登録情報端末識別子」に基づき識別子記憶ユニット１０２から読み出す（認識する）。なお、選定処理ユニット１２０は１次選定された第２端末２２０との通信に基づき、ＧＰＳ等により第２端末２２０が測定したその位置を認識してもよい。
【００４５】
さらに選定処理ユニット１２０が２次選定された第２端末２２０との通信に基づき（図２／両矢印Ａ６）、この第２端末２２０の接続状態及び未接続状態の別を認識した上で、未接続状態にある第２端末２２０を選定する「３次選定処理」を実行する（図２／Ｓ１２３）。
【００４６】
次に接続処理ユニット１３０が「接続処理」を実行する（図２／Ｓ１３０）。具体的には、接続処理ユニット１３０は第１端末２１０と、選定処理ユニット１２０によって選定された第２端末２２０とのそれぞれに「操作メニュー信号」を送信する（図２／矢印Ａ８、矢印Ａ９）。これにより、第１端末２１０及び第２端末２２０のそれぞれに「操作メニュー」が表示させられ（図２／Ｓ２１１、Ｓ２１６）、第１端末２１０及び当該第２端末２２０が「接続状態」となる。また、ユーザによる操作メニューに従った第１端末２１０の操作が可能となる。例えば図３に示されているように、色彩や配列順等が統一された操作メニューＭ１，Ｍ２、Ｍ３が第１端末２１０及び第２端末２２０のそれぞれに表示される。
【００４７】
そして、情報提供処理ユニット１４０が、第２端末２２０との通信に基づき「情報提供処理」を実行する（図２／Ｓ１４０）。具体的には、第１端末２１０がユーザにより操作され（図２／Ｓ２１７）、これに応じた操作信号が第１端末２１０から第２端末に送信される（図２／矢印Ａ９）。情報提供処理ユニット１４０は第２端末２２０との通信に基づき（図２／矢印Ａ１０）、第１端末２１０のユーザによる操作内容を認識する。この上で情報提供処理ユニット１４０は当該操作内容に応じた情報を第２端末２２０にネットワークを介して送信する（図２／矢印Ａ１１）。これにより、第１端末２１０のユーザによる操作に応じた情報が第２端末２２０に表示させられる（図２／Ｓ２２２）。
【００４８】
例えば、操作メニューが株価、ユーザの貯蓄高等の金融情報を表示させるためのものである場合、当該操作メニューに従ったユーザによる第１端末２１０の操作に応じて、種々の金融情報が第２端末２２０に表示され得る。また、操作メニューが野球やサッカー等の試合の結果、途中経過等のスポーツ情報を表示させるためのものである場合、当該操作メニューに従ったユーザによる第１端末２１０の操作に応じて、種々のスポーツ情報が第２端末２２０に表示され得る。
【００４９】
前記機能を発揮する本発明の情報管理システムによれば、ユーザは「登録リモコン端末識別子」を有する第１端末２１０を用いることで、その登録ユーザ識別子とバインドされている「登録情報端末識別子」を有する第２端末２２０を通じて情報を閲覧することができる。第１端末２１０への登録ユーザ識別子の入力が情報閲覧のために必要とされているので（図２／Ｓ２１４参照）、登録ユーザ識別子を有していないユーザによる不正な情報閲覧が防止され得る。
【００５０】
また、第１端末２１０と接続状態とされる第２端末２２０が、登録ユーザ識別子とバインドされている登録情報端末識別子により識別されることを条件として１次選定される（図２／Ｓ１２１参照）。これにより、登録ユーザ識別子を有するユーザに対して、このユーザのライフスタイル等に応じて都合のよい便利な場所にある第２端末２２０を通じて情報が提供され得る。さらに、１次選定された第２端末２２０が、第１端末２１０の位置を基準とする所定範囲に位置することを条件として２次選定される（図２／Ｓ１２２参照）。これにより、登録ユーザ識別子を有するユーザが容易に閲覧し得る適切な範囲内に位置する第２端末２２０を通じて、当該ユーザにその所望の情報を閲覧させ得る。また、登録ユーザ識別子を有するユーザに対して提供されるべき情報が、当該ユーザが容易には閲覧し得ない場所にある第２端末２２０を通じて第三者に提供される事態が回避される。また、２次選定された第２端末２２０が、未接続時状態にあることを条件として３次選定される（図２／Ｓ１２３参照）。これにより１つの第２端末２２０に複数の第１端末２１０が接続状態とされる事態が防止され得る。
【００５１】
また、この第２端末２２０は前記のように住宅等に設置されるディスプレイ等であり、携帯端末のように一度に閲覧される情報量が制限されるものには限られない。このため、ユーザは、第１端末２１０が手元にあり、且つ、第２端末２２０を閲覧可能な場所にいれば、第１端末２１０の操作によって第２端末２２０を通じて希望の情報を迅速に閲覧することができる。また、第１端末２１０及び第２端末２２０に操作メニューが表示されるので（図２／Ｓ２１６、Ｓ２２１参照）、ユーザは視覚的に認識した操作メニューに従って、第２端末２２０を通じて所望の情報を閲覧するために第１端末２１０を容易に操作することができる（図２／Ｓ２１７参照）。
【００５２】
従って、本発明の情報管理システムによれば、ユーザが一度に閲覧し得る情報量が過剰に制限されることを回避しながら、ユーザに対して迅速に情報を提供することができる。
【００５３】
なお、接続処理ユニット１３０が、第１端末２１０の操作を通じて、登録ユーザ識別子とバインドされて識別子記憶ユニット１０２により記憶されている登録情報端末識別子の設定操作を可能とする操作メニューを、接続状態にある第１端末２１０及び第２端末２２０のうち一方又は両方に表示させてもよい。
【００５４】
当該実施形態によれば、ユーザはその登録ユーザ識別子にバインドされている登録情報端末識別子、ひいては第２端末２２０を第１端末２１０の操作により設定することができる。これにより、ライフスタイルや地域的属性等の諸事情に応じて、ユーザに都合のよい第２端末２２０を通じて、ユーザに対して第１端末２１０の操作内容に応じた情報を迅速に閲覧させることができる。
【００５５】
前記実施形態では第１端末２１０及び３次選定された第２端末２２０の両方に操作メニューが表示されたが（図２／Ｓ２１６、Ｓ２２１参照）、他の実施形態として第１端末２１０及び当該第２端末２２０の一方にのみ操作メニューが表示されてもよい。
【００５６】
前記実施形態では第１端末２１０と接続状態とされる第２端末２２０が３次選定されたが（図２／Ｓ１２１〜１２３参照）、他の実施形態として第２端末２２０が１次又は２次選定されてもよい。
【００５７】
また、第２端末２２０にＴＶ番組が表示される場合、第１端末２１０はＴＶチャンネルを変えたり、音声や画質を調節するためのＴＶリモコンとして機能してもよく、第１端末２１０に向けてＴＶ番組と同時に送信される副情報番組の表示機能を有していてもよい。
【００５８】
さらに第１端末２１０がカメラを備え、且つ、第２端末２２０が音声入出力機能を有する場合、ユーザの第２端末２２０の操作に応じて相手のユーザの第１端末２１０のカメラによって撮影されている当該相手の画像が当該ユーザの第１端末２１０に表示され、第２端末２２０を介してユーザ間の会話が可能とされてもよい。この場合、第１端末２１０及び第２端末２２０がＴＶ電話として使用されてもよく、第１端末２１０及び第２端末２２０を通じてＴＶ会議が行われてもよい。
【図面の簡単な説明】
【００５９】
【図１】本発明の一実施形態としての情報管理システムの構成説明図
【図２】本発明の一実施形態としての情報管理システムの機能説明図
【図３】本発明の一実施形態としての情報管理システムの機能説明図
【符号の説明】
【００６０】
１００‥情報管理サーバ（情報管理システム）、１０２‥識別子記憶ユニット、１１１‥端末判定処理ユニット、１１２‥ユーザ判定処理ユニット、１２０‥選定処理ユニット、１３０‥接続処理ユニット１３０‥情報提供処理ユニット、２１０‥第１端末（リモコン端末）、２２０‥第２端末（情報端末）
【図１】
2006039685.tif 000003
【図２】
2006039685.tif 000004
【図３】
2006039685.tif 000005